(57)【要約】【課題】大径コインと小径コインを投出すことができる上に、小径コインでもロック現象等のエラーを起こすことを防止できるようにする。【解決手段】回転ディスク１４の周囲に配設された円筒面ガイド１６の回転方向前端から排出口３６まで配設された直線ガイド１８の排出口側端部に対向して配設され、回転ディスクの回転に伴って押出部により押し出されるコインに接触する、排出口方向に付勢された可動ローラ３８を備えたコイン投出装置において、回転ディスクの収容部を構成する押出部には、回転方向前方の前方壁部３２Ａに接触した小径の前方コインＣａに連続して接触した小径の後方コインＣｂに当接し、且つ、該後方コイン上の当接位置と該後方コインの中心とを通る直線を、該後方コインが可動ローラに初期位置で接触した状態のときに、該初期位置の可動ローラの中心より排出口側に位置させる、当接端部が形成された。【選択図】図９
2010231421.tif 000002
【特許請求の範囲】
【請求項１】
ベースプレート上に回転可能に支持されていると共に、大径コインと小径コインをそれぞれ個別に捕捉可能な複数のコイン穴が、円周方向に等間隔に貫通形成され、各コイン穴の裏側には周端部が開放された形状の押出部により仕切られたコイン収容部が形成されている、一方向に回転される回転ディスクと、
コインを投出方向に排出する排出口を除いた前記回転ディスクの周囲に配設された円筒面ガイドと、
該円筒面ガイドの回転方向前端から前記排出口まで配設された直線ガイドと、
該直線ガイドの排出口側端部に対向して配設され、前記回転ディスクの回転に伴って前記押出部により押し出されるコインに接触する、排出口方向に付勢された可動ローラとを備えたコイン投出装置において、
前記回転ディスクの収容部を構成する前記押出部には、
回転方向前方の前方壁部に接触した小径の前方コインに連続して接触した小径の後方コインに当接し、且つ、該後方コイン上の当接位置と該後方コインの中心とを通る直線を、該後方コインが前記可動ローラに初期位置で接触した状態のときに、該初期位置の可動ローラの中心より前記排出口側に位置させる、
当接端部が形成されていることを特徴とするコイン投出装置。
【発明の詳細な説明】
【技術分野】
【０００１】
本発明は、コイン投出装置、特に回胴式遊技機にコインを供給する際に適用して好適なコイン投出装置に関する。
【背景技術】
【０００２】
コイン（メダルとも呼ばれる）が遊技媒体として使用されるゲーム機には、いわゆる「パチスロ」と呼ばれる回胴式遊技機がある。
【０００３】
このような遊技機では、コインを貯留すると共に、当たり役に応じて所定枚数を払出すためにコインホッパとも呼ばれるコイン投出装置が用いられている。
【０００４】
一般的なコイン投出装置としては、コインを貯留する貯留タンクと、コインを捕捉し回転力により投出す回転ディスクと、該回転ディスクを回転させるモータと、投出す際にコインを検出してカウントする検出センサと、これら各部材を保持するベースフレーム等により構成されている。
【０００５】
従来のコイン投出装置としては、例えば特許文献１には、図１に一部破断して示す回転ディスクを備えたものが開示されている。この回転ディスク１５２は、モータにより矢印で示す時計方向に回転される。この円盤状の回転ディスク１５２には、コイン１３２よりも大きいコイン穴１６２が形成され、これによりコインを１枚ずつ捕捉すると共に、そのコインを該ディスクの回転により案内部材１４２に沿ってその終端部へ送る。
【０００６】
案内部材１４２の終端付近には、可動ローラ１４８が設けられており、送られてきたコイン１３２がこの可動ローラ１４８を押し拡げることにより、その反力によりコイン１３２を機外へ投出されるようになっている。この可動ローラ１４８は、裏側のセンサ検出子と連結されており、コイン１３２に押し拡げられる毎に、連動するセンサにより投出しが検知されるようになっている。
【０００７】
ところで、一般にパチスロでは、外径が２５ｍｍのφ２５ｍｍコインと、３０．３ｍｍや３０．８ｍｍのφ３０ｍｍコインと呼ばれるものが使用されており、そのために、パチスロ用のコイン投出装置には、φ２５ｍｍ（小径）仕様とφ３０ｍｍ（大径）仕様があり、それに合せて回転ディスクも専用のものがそれぞれ用意されていた。
【０００８】
従って、このようなコイン投出装置には、小径用と大径用それぞれの回転ディスクを発注し、製作し、在庫管理を行なう必要がある上に、各仕様のコイン投出装置を組付けたり、在庫管理を行なう等の必要があるという問題があった。
【０００９】
そこで、この問題を解決するために、外径の異なる大小２種類の径からなるコインを１つのコイン投出装置で払出す（投出す）ことができるコイン投出装置も、例えば特許文献２に開示されている。
【先行技術文献】
【特許文献】
【００１０】
【特許文献１】特開２００２−１２３８５１号公報
【特許文献２】特許第３７４８６２１号公報
【発明の概要】
【発明が解決しようとする課題】
【００１１】
しかしながら、前記特許文献２のコイン投出装置には、特に小径コインを使用する場合、円滑にコインを投出すことができず、その上回転ディスクが停止するロック現象等のエラーが起こりやすいという問題があった。
【００１２】
本発明は、前記従来の問題点を解決するべくなされたもので、大径と小径のいずれかのコインをも投出することができる上に、小径コインでもロック現象等のエラーを起こすことなく円滑に投出すことができるコイン投出装置を提供することを課題とする。
【課題を解決するための手段】
【００１３】
本発明は、ベースプレート上に回転可能に支持されていると共に、大径コインと小径コインをそれぞれ個別に捕捉可能な複数のコイン穴が、円周方向に等間隔に貫通形成され、各コイン穴の裏側には周端部が開放された形状の押出部により仕切られたコイン収容部が形成されている、一方向に回転される回転ディスクと、コインを投出方向に排出する排出口を除いた前記回転ディスクの周囲に配設された円筒面ガイドと、該円筒面ガイドの回転方向前端から前記排出口まで配設された直線ガイドと、該直線ガイドの排出口側端部に対向して配設され、前記回転ディスクの回転に伴って前記押出部により押し出されるコインに接触する、排出口方向に付勢された可動ローラとを備えたコイン投出装置において、前記回転ディスクの収容部を構成する前記押出部には、回転方向前方の前方壁部に接触した小径の前方コインに連続して接触した小径の後方コインに当接し、且つ、該後方コイン上の当接位置と該後方コインの中心とを通る直線を、該後方コインが前記可動ローラに初期位置で接触した状態のときに、該初期位置の可動ローラの中心より前記排出口側に位置させる、当接端部が形成されているようにしたことにより、前記課題を解決したものである。
【発明の効果】
【００１４】
本発明によれば、回転ディスクの収容部を構成する押出部には、回転方向前方の前方壁部に接触した小径の前方コインに連続して接触した小径の後方コインに当接し、且つ、該後方コイン上の当接位置と該後方コインの中心とを通る直線を、該後方コインが前記可動ローラに初期位置で接触した状態のときに、該初期位置の可動ローラの中心より排出口側に位置させる、当接端部が形成されているようにしたので、後方コインが可動ローラに接触する初期位置でコイン押出部の当接端部が該コインを押すベクトルの方向を、可動ローラとの接触位置より排出口方向にできるため、小径コインでも確実に排出することができる。
【図面の簡単な説明】
【００１５】
【図１】従来のコイン投出装置の要部を示す平面図
【図２】本発明に係る一実施形態のコイン投出装置の主要部を示す分解斜視図
【図３】ベースプレートに円筒面ガイド及び排出プレートを取付けた状態を示す斜視図
【図４】回転ディスクを拡大して示す斜視図
【図５】本実施形態のコイン投出装置を構成するベースユニットを示す斜視図
【図６】上部半分を切断した状態の回転ディスクを示す平面図と斜視図
【図７】上部全体を切断した状態の回転ディスクである投出部を示す平面図と斜視図
【図８】ベースユニットの裏側を示す斜視図
【図９】本実施形態におけるコイン押出部の特徴を示す拡大平面図
【図１０】回転ディスクによりコインが送り出される図５の後の段階を示す斜視図
【図１１】回転ディスクによりコインが送り出される図１０の後の段階を示す斜視図
【図１２】回転ディスクによりコインが送り出される図１１の後の段階を示す斜視図
【図１３】回転ディスクの収容部と収容される小径コインの関係を示す平面図
【図１４】本実施形態の作用を説明するための図９に相当する拡大平面図
【発明を実施するための形態】
【００１６】
以下、図面を参照して、本発明の実施の形態について詳細に説明する。
【００１７】
図２は、本発明に係る一実施形態のコイン投出装置の主要部を示す分解斜視図である。
【００１８】
この分解斜視図に示されるように、本実施形態のコイン投出装置は、土台部分を構成するフレームユニット１０と、該フレームユニット１０の斜面部に取付けられるベースプレート１２と、該ベースプレート１２上に回転可能に支持される回転ディスク１４と、該回転ディスク１４の周囲を囲みコインを排出口方向に誘導する円筒面ガイド１６と、更に排出口へ誘導する排出プレート（直線ガイド）１８とを配置したベースユニット２０と、該ベースユニット２０の上部に取付けられ、回転ディスク１４に供給するコインを貯める貯留タンク２２を備えている。
【００１９】
図３には、ベースプレート１２に左半分の上部を切断した円筒面ガイド１６と直線ガイドである排出プレート１８を取付けた状態を示す。
【００２０】
本実施形態のコイン投出装置では、この図３の状態のベースプレートのほぼ中央部にあるモータの回転軸Ｓに、図４に示す回転ディスク１４の中心穴を嵌合させて該回転ディスク１４を固定することにより、図５にφ３５ｍｍの大径コインＣと共に示すベースユニット２０が完成する。
【００２１】
なお、この図５では、円筒面ガイド１６の上部半分が切断されており、以下のベースユニット２０の説明では原則として回転ディスク１４と円筒面ガイド１６は上部半分が切断されている状態で示す。
【００２２】
回転ディスク１４の上部には、図４に示したように円周方向に等間隔で複数のコイン穴３０が裏側に貫通して形成されている。又、各コイン穴３０の周囲上部には傾斜した誘い込み部３０Ａが形成されている。
【００２３】
このコイン穴３０は、小径コインでも１枚しか入らない大きさ（直径）に形成され、図６に回転ディスク１４の上部半分を切断した状態を、又、図７に上部全体を切除した状態の平面図と斜視図をそれぞれ示すように、各コイン穴３０の裏側、即ち回転ディスク１４の下部にはそれぞれ同形状のコイン押出部３２に囲まれた空間からなるコイン収容部３４が形成されている。
【００２４】
各コイン穴３０に対応するコイン収容部３４は、図示されているように内側が略半円形状でディスク周端側が開放された形状のコイン押出部３２により仕切られ、その開放周端部が前記円筒面ガイド１６により遮蔽された空間として形成され、その内部にコインＣを収納可能になっている。
【００２５】
また、このベースユニット２０では、前記図３、図５に示したようにコイン排出口３６の一端を構成する可動ローラ３８がコインＣの周端部と接触する位置に回転可能に支持され、且つ該コイン排出口３６方向に後述するばねにより付勢されていると共に長穴の範囲を移動可能になっている。
【００２６】
この可動ローラ３８の対向する位置には、前記排出プレート１８が取付けられ、コイン排出口３６の他端を構成している。この排出プレート１８は、前後を逆に取付けることにより、コイン排出口３６の幅を大径用と小径用に合うように、それぞれのコインの直径より狭く調整できるように異なる幅で形成されている。
【００２７】
また、ベースユニット２０では、図８に示すようにベースプレート１２の裏側に前記回転ディスク１４を回転させるモータ４０が付設されていると共に、前記可動ローラ３８を付勢するばね４２と、該可動ローラ３８を支持し、ばね４２の付勢力に抗して回転させる検出レバー４３と、該レバー４３の動きからコインの通過を検知する検出センサ（フォトインタラプタ）４４等からなるセンサユニットが付設されている。
【００２８】
更に、本実施形態では、前記コイン収容部３４の空間を構成するコイン押出部３２には、図９にコイン排出口近傍を拡大して示すように、回転ディスク１４の回転方向前方の前方壁部３２Ａに接触した小径の前方コインＣａに連続して接触した小径の後方コインＣｂに当接する当接端部３２Ｂが形成されている。そして、この当接端部３２Ｂは、これが当接する前記後方コインＣｂ上の当接位置Ｐと該後方コインＣｂの中心とを通る直線Ｖが、該後方コインＣｂが前記可動ローラ３８に初期位置で接触した状態のときに、該初期位置の前記可動ローラ３８の中心３８Ａより前記排出口３６側に位置するように、回転方向に突出した形状に形成されている。
【００２９】
以上の構成からなる本実施形態のコイン投出装置においては、モータ４０により回転ディスク１４が回転されると、コイン穴３０で捕捉されたコインＣはコイン収容部３４の押出部３２により押出されると共に、前記円筒面ガイド１６及び直線ガイドである排出プレート１８に順次誘導されて、前記図５に２つの大径コインを例に示したように、排出口３６の方向に運ばれる。
【００３０】
その後、図５に続く動作として説明すると、図１０に示すように排出プレート１８により誘導されるコインＣは初期位置にある前記可動ローラ３８に接触し、更に押されると該可動ローラ３８を外側に移動させ排出口３６を拡げる。
【００３１】
次いで、可動ローラ３８が最大量押し拡げられた図１１の状態を超えると図１２に示すように可動ローラ３８が付勢力により元の初期位置に戻ると同時に、コインＣが排出口３６から排出され、図示しない投出部方向へ送り出される。
【００３２】
１枚のコインＣが排出される毎に、前記レバー４３に支持されている可動ローラ３８が図５の待機位置（初期位置）と図１１の最大離隔位置との間の動作を繰り返すことになり、それが前記検出センサ４４によりコインの排出枚数として検出される。
【００３３】
φ２５ｍｍの小径コインの場合も、図１３に斜線を引いて２つのコイン収容部３４を示すように、各収容部３４には小径コインＣ（便宜上、同一の符号を使用する）でも２枚同時に収容することができないため、基本的なコインの送り出し動作は前述したφ３０ｍｍの大径コインの場合と同じである。
【００３４】
ところが小径コインの場合は、まれに排出口３６から排出されないことが起こり、それが原因で回転ディスクが停止するロック状態等のエラーになることがある。
【００３５】
このような現象等のエラーが生じることを防止するべく、本発明者が鋭意検討した結果、前記コイン押出部３２を前記図９に示した形状にすることが有効であることを知見した。
【００３６】
即ち、コイン収容部３４に収容されるコインＣは、円筒面ガイド１６に誘導されている間は１枚ずつであるが、直線状の排出プレート１８に誘導されるようになると、その領域が広がるため、第２のコインがコイン穴３０から供給されて２枚収容されるようになる。
【００３７】
この場合、通常、コインの排出が円滑に行なわれている限りは後方に位置するコインが排出される。ところが、円滑に後方のコインが排出されない場合には、前方コインＣａに後方コインＣｂが連続して接触した状態になることが起こり得る。
【００３８】
この場合、前記図９に相当する図１４に示すように、後方コインＣｂに対する押出部３２の当接端部３２Ｂと後方コインＣｂの中心とを通る直線Ｖが、初期位置の可動ローラ３８の中心に対して排出口３６と反対側に位置すると、図示されている状態に嵌り込むことになる。その結果、押出部３２の当接端部３２Ｂが押すことにより後方コインＣｂに作用する、その中心を通るベクトルは、直線Ｖに矢印を付して示すように可動ローラ３８との接触位置より右側（回転方向）に作用することになるため、該後方コインＣｂは排出口３６から排出できないことになる。
【００３９】
これに対して、前記図９に示したように、押出部３２の当接端部３２Ｂが当接する後方コインＣｂ上の当接位置（接点）Ｐと該後方コインＣｂの中心とを通る直線が、初期位置の可動ローラ３８の中心より排出口３６側に位置する場合は、後方コインＣｂが初期位置の可動ローラ３８に接触した段階で、その中心を通る直線Ｖと矢印で示すベクトルがコインの接触位置より左の排出口３６側に作用することになるため、該排出口３６の方向に押出されることになり、φ２５ｍｍの小径コインＣの場合でも確実に排出させることができる。
【００４０】
以上詳述した本実施形態によれば、以下の効果が得られる。
【００４１】
（１）小径コイン及び大径コインの両用のコイン投出装置（コインホッパ）において、回転ディスクを共通で使用できる上に、小径コインでも排出ミス等のエラーを起こさせることなく確実に投出すことができる。
【００４２】
（２）小径コイン及び大径コインの両用のコイン投出装置（コインホッパ）において、回転ディスクを共通で使用できるので、部品を共通化することにより、部品コストの低減、管理コストの低減を図ることができる上に、大径コインから小径コインまたはその逆の使用に、回転ディスクを交換することなく、短時間で簡単に仕様変更することができる。
【００４３】
なお、前記実施形態では、後方コインＣｂが可動ローラ３８に接触する初期位置で、該後方コインＣｂに当接する押出部３２の当接端部３２Ｂの形状が、前記図９に示したように回転方向に突出したものに限定されない。
【符号の説明】
【００４４】
１０…フレームユニット
１２…ベースプレート
１４…回転ディスク
１６…円筒面ガイド
１８…排出プレート（直線ガイド）
２０…ベースユニット
２２…貯留タンク
３０…コイン穴
３２…コイン押出部
３２Ａ…前方壁部
３２Ｂ…当接端部
３４…コイン収容部
３６…コイン排出口
３８…可動ローラ
４０…モータ
４２…ばね
４３…検出レバー
４４…検出センサ
Ｃ…コイン
Ｃａ…前方コイン
Ｃｂ…後方コイン
【図１】
2010231421.tif 000003
【図２】
2010231421.tif 000004
【図３】
2010231421.tif 000005
【図４】
2010231421.tif 000006
【図５】
2010231421.tif 000007
【図６】
2010231421.tif 000008
【図７】
2010231421.tif 000009
【図８】
2010231421.tif 000010
【図９】
2010231421.tif 000011
【図１０】
2010231421.tif 000012
【図１１】
2010231421.tif 000013
【図１２】
2010231421.tif 000014
【図１３】
2010231421.tif 000015
【図１４】
2010231421.tif 000016